(57)【要約】【課題】刃に設けられている切欠きの狭い部分に、除去対象物が詰まってしまうことを抑制する技術を提供する。【解決手段】農具１は、板状の刃２と、棒状の柄３と、刃２および柄３を連結して固定する連結部４を備えている。刃２は、その先端側に刃先部２１を有している。刃先部２１は、その先端部分２１１から刃２の基端側に向けて、刃先部２１の横幅が次第に大きくなるように延びる外縁部２３を両側に有している。外縁部２３は、刃先部２１の外側へ向かうにつれて、刃２の厚みが次第に薄くなるよう鋭利に加工されている。また、刃先部２１には、先端部分２１１から刃２の基端側に向けて、横方向の隙間の間隔が次第に大きくなるように切欠かれた切欠き部２５が設けられている。【選択図】図１
2011010631.tif 000002
【特許請求の範囲】
【請求項１】
板状の刃と、該刃に取付けられる柄とを備える農具であって、
前記刃は、その先端側に刃先部を有し、
前記刃先部は、
その先端部分から前記刃の基端側に向けて、前記刃先部の横幅が次第に大きくなるように延びる外縁部を両側に有し、前記先端部分から前記基端側に向けて、隙間の間隔が次第に大きくなるように切欠かれた切欠き部が設けられている農具。
【請求項２】
請求項１に記載の農具において、
前記外縁部が、前記刃先部の外側に向かうにつれて厚みが次第に薄くなるよう鋭利に加工されている農具。
【請求項３】
請求項１または請求項２に記載の農具において、
前記先端部分における前記切欠き部の隙間の間隔が２ｍｍ以上３ｍｍ以下である農具。
【請求項４】
請求項１ないし請求項３のいずれか１項に記載の農具において、
前記刃の先端側に前記刃先部が複数設けられている農具。
【請求項５】
柄が取付けられる農具用の板状の刃であって、
前記刃は、その先端側に刃先部を有し、
前記刃先部は、
その先端部分から前記刃の基端側に向けて、前記刃先部の横幅が次第に大きくなるように延びる外縁部を両側に有し、前記先端部分から前記基端側に向けて、隙間の間隔が次第に大きくなるように切欠かれた切欠き部が設けられている刃。
【請求項６】
請求項５に記載の刃において、
前記外縁部が、前記刃先部の外側に向かうにつれて厚みが次第に薄くなるよう鋭利に加工されている刃。
【発明の詳細な説明】
【技術分野】
【０００１】
本発明は、農具用の刃に関し、特に刃の形状に関する。
【背景技術】
【０００２】
田畑を耕す作業では、雑草などの草木の除去作業が必要である。これまでにも、地中の草木などの異物（除去対象物）を、効率的に除去するための農具用の刃が提案されている。
【０００３】
例えば特許文献１には、所定形状の切欠きが設けられた刃が開示されている。具体的には、刃先から徐々に隙間の間隔が狭くなるＶ字状の切欠きが設けられ、さらにその隙間の狭い部分の奥に広い切欠きが設けられている。
【０００４】
このような刃によると、Ｖ字状の切欠きに進入した草の根などが狭い部分に引っ掛かるため、地中から草を抜き取り易くなる。さらに、Ｖ字状の切欠きに別の草が進入してくることによって、狭い部分に引っ掛かっていた草が奥の切欠きへ押し出されて、奥の広い切欠きから順次に抜けていく。
【先行技術文献】
【特許文献】
【０００５】
【特許文献１】特開平６−１８９６０１号公報
【発明の概要】
【発明が解決しようとする課題】
【０００６】
ところが、多くの草が密集しているような場合、上述の刃では、刃先がＶ字状に開放されているため、一度に大量の草が切欠きの狭い部分に進入することとなる。そのため、切欠きの狭い部分に草が詰まり易くなっている。一旦草が詰まってしまうと、これを抜き取る作業が別途必要となるため、作業効率が非常に悪くなる。
【０００７】
本発明は、上記課題に鑑みなされたものであり、刃に設けられている切欠きの狭い部分に、除去対象物が詰まってしまうことを抑制する技術を提供することを目的としている。
【課題を解決するための手段】
【０００８】
上記の課題を解決するため、第１の態様は、板状の刃と、該刃に取付けられる柄とを備える農具であって、前記刃は、その先端側に刃先部を有し、前記刃先部は、その先端部分から前記刃の基端側に向けて、前記刃先部の横幅が次第に大きくなるように延びる外縁部を両側に有し、前記先端部分から前記基端側に向けて、隙間の間隔が次第に大きくなるように切欠かれた切欠き部が設けられている。
【０００９】
また、第２の態様は、第１の態様に係る農具において、前記外縁部が、前記刃先部の外側に向かうにつれて厚みが次第に薄くなるよう鋭利に加工されている。
【００１０】
また、第３の態様は、第１または第２の態様に係る農具において、前記先端部分における前記切欠き部の隙間の間隔が２ｍｍ以上３ｍｍ以下である。
【００１１】
また、第４の態様は、第１ないし第３のいずれか１の態様に係る農具において、前記刃の先端側に前記刃先部が複数設けられている。
【００１２】
また、第５の態様は、柄が取付けられる農具用の板状の刃であって、前記刃は、その先端側に刃先部を有し、前記刃先部は、その先端部分から前記刃の基端側に向けて、前記刃先部の横幅が次第に大きくなるように延びる外縁部を両側に有し、前記先端部分から前記基端側に向けて、隙間の間隔が次第に大きくなるように切欠かれた切欠き部が設けられている。
【００１３】
また、第６の態様は、第５の態様に係る刃において、前記外縁部が、前記刃先部の外側に向かうにつれて厚みが次第に薄くなるよう鋭利に加工されている。
【発明の効果】
【００１４】
第１の態様に係る農具によれば、刃先部の外縁部が先端部分から次第に広がっていくため、余分な除去対象物を外縁部に沿って押し退けつつ、先端部分に除去対象物を進入させることができる。切欠き部に進入する除去対象物の量を適切に制限できるため、切欠き部の狭い部分に除去対象物が詰まることを抑制できる。
【００１５】
また、第２の態様に係る農具によれば、外縁部が鋭利に加工されているため、刃先部が地面に進入し易くなり、また、外縁部により草木などの除去対象物を切断し易くなる。
【００１６】
また、第３の態様に係る農具によれば、先端部分の隙間の間隔を一般的な草木の根や茎の直径に合わせることで、先端部分で一本の草木を効果的に捉えることができる。
【００１７】
また、第４の態様に係る農具によれば、刃の先端側に複数の刃先部を有するため、除去対象物を一度に複数の先端部分で引っ掛けることができる。
【００１８】
また、第５の態様に係る刃によれば、刃先部の外縁部が先端部分から次第に広がっていくため、余分な除去対象物を外縁部に沿って押し退けつつ、先端部分に除去対象物を進入させることができる。切欠き部に進入する除去対象物の量を制限できるため、切欠き部の狭い部分に除去対象物が詰まることを抑制できる。
【００１９】
また、第６の態様に係る刃によれば、刃先部の外縁部が鋭利に加工されているため、刃先部が地面に進入し易くなり、また、外縁部で草木などの除去対象物を切断し易くなる。
【図面の簡単な説明】
【００２０】
【図１】第１実施形態に係る農具を示す斜視図である。
【図２】図１に示す農具の外縁部の作用を説明するための図である。
【図３】第２実施形態に係る農具を示す斜視図である。
【図４】図３に示す農具の刃先部を拡大して示す拡大図である。
【図５】第３実施形態に係る農具を示す斜視図である。
【図６】第４実施形態に係る農具を示す正面図である。
【発明を実施するための形態】
【００２１】
以下、実施の形態について、添付の図面を参照しつつ、詳細に説明する。
【００２２】
＜１．  第１実施形態＞
図１は、第１実施形態に係る農具１を示す斜視図である。農具１は、耕作、中耕、除草、および作畦などの各種作業に用いられる手作業用の鍬である。農具１は、平板状の刃２と、把持部となる棒状の柄３と、刃２と柄３とを連結する連結部４を備えている。
【００２３】
連結部４は、その一方が刃２の基端側に偏った所定の位置に固定されており、他方に柄３を挿入するための挿入孔を有している。この挿入孔に柄３が挿入され固定されることで、刃２および柄３が鋭角を成すようにして固定される。作業者が農具１を使用する際には、柄３を把持して刃２の先端側を地面に振り下ろし、さらに刃２を手前へ移動させる。
【００２４】
刃２は、その先端側に刃先部２１を有している。刃先部２１は、その先端部分２１１から刃２の基端側に向けて、刃先部２１の横幅（刃２の基端側から先端側へ向かう方向（縦方向）に直交する方向（横方向）の幅）が次第に大きくなるように延びている外縁部２３を両側に有している。
【００２５】
外縁部２３は、刃先部２１の外側に向かうにつれて（すなわち、刃先部２１の端に向かうにつれて）、刃２の厚みが次第に薄くなるよう鋭利に加工されている。これにより、草木を外縁部２３で切断し易くなっている。また、上述のように、外縁部２３は縦方向に対し傾斜するように延びている。したがって、例えば刃の形状を略矩形とした場合に比べ、抵抗を１／３程度に抑えつつ掘り進められるように、刃２を設計することが可能である。
【００２６】
刃先部２１には、その先端部分２１１から刃２の基端側に向けて、横方向の隙間の間隔が次第に大きくなるように切り欠かれた切り欠き部２５が設けられている。切欠き部２５の隙間は、先端部分２１１で最も狭くなっており、刃２の最も基端側の奥で最も広くなっており、隙間の間隔が連続的に大きくなるように変化している。
【００２７】
このような切欠き部２５を設けることによって、作業者が農具１を振り下ろした際に、先端部分２１１に草の根や茎が引っ掛かることとなる。そして、先端部分２１１に引っ掛かった草木は、別の草木が先端部分２１１に進入してくることによって、より隙間の広い奥の方へ順次に押し出されていく。これにより、先端部分２１１に引っ掛かった草木が切欠き部２５から容易に抜けていくこととなる。
【００２８】
また、刃２に切欠き部２５を設けることで、刃２を軽量化することができるとともに、作業時に刃２の全面に土の塊が載ったとしても、土との接触面が小さいため、容易にこれを降り落とすことができる。
【００２９】
なお、先端部分２１１における切欠き部２５の隙間の間隔は、好ましくは１ｍｍ以上１０ｍｍ以下、より好ましくは１ｍｍ以上５ｍｍ以下、さらにより好ましくは２ｍｍ以上３ｍｍ以下である。このように隙間の間隔を一般的な草木の根や茎の直径に合わせることで、先端部分２１１で一本の草木をより確実に捉えることができる。ただし、先端部分２１１の隙間は、除去対象物の大きさに応じて適宜に設計変更が可能である。
【００３０】
図２は、図１に示す農具１の外縁部２３の作用を説明するための図である。ここでは、草の根を先端部分２１１に引っ掛けて除去する場合を例に挙げて説明する。なお、図２では、図示の都合上、草の根ｒ１，ｒ２を断面図で示している。
【００３１】
作業者が農具１を振り下ろして、刃２の先端側を地面に差し込むと、地中の草の根のうち、先端部分２１１の移動経路上にある草の根が先端部分２１１に進入してくる。そして、先端部分２１１の隙間と同程度かそれよりも若干太い草の根ｒ１が先端２１に引っ掛かる。
【００３２】
一方、先端部分２１１の移動経路外にある草の根ｒ２は、両側の外縁部２３に沿って刃先部２１の側方へ押し退けられる。これは、両側の外縁部２３が、刃先部２１１の横幅が次第に大きくなるように延びているためである。また、鋭利に加工された外縁部２３で根ｒ２を押し退けるため、根ｒ２を削って損傷を与えることができる。したがって、根ｒ２の草についても、除去しやすくなる。
【００３３】
このように、農具１によると、先端部分２１１の移動経路外にある根ｒ２を側方へ逃しつつ、先端部分２１１の移動経路上にある草の根ｒ１を先端部分２１１に進入させることができる。したがって、多くの草木が密集していたとしても、切欠き部２５の先端に進入する草木の量を適切に制限できるため、先端部分２１１に草木が詰まることを抑制できる。これにより、効率的に作業を行うことができる。
【００３４】
なお、先端部分２１１の隙間よりも細い草木であっても、草木が刃先部２１に絡みつけば、これを除去できる。また、先端部分２１１の隙間よりもはるかに太い根や茎を持つ草木については、先端部分２１１に進入させることなく、側方へ押し退けることができる。
【００３５】
また、草木などの他に、先端部分２１１の隙間よりも大きい石なども、外縁部２３に沿って側方へ押し退けることができる。したがって、先端部分２１１に石などが詰まることを抑制できる。このように、石があったとしても、地面を容易に掘ることができる。
【００３６】
＜２．  第２実施形態＞
図３は、第２実施形態に係る農具１ａを示す斜視図である。なお、本実施形態の説明において、上記第１実施形態と同様の機能を有する要素については同一符号を付してその説明を省略する。以下の実施形態についても同様とする。
【００３７】
農具１ａは、略半楕円形の平板状の刃２ａと、棒状の柄３ａと、刃２ａおよび柄３ａを連結する連結部４ａとを備えている。農具１ａは、地表に生えている草木を刈り取るのに適している。刃２ａは、その先端側に複数の刃先部２１ａを有している。
【００３８】
図４は、図３に示す農具１ａの刃先部２１ａを拡大して示す拡大図である。刃先部２１ａは、図１に示す刃先部２１と同様に、その先端部分２１１ａから刃２ａ基端側に向けて、刃先部２１ａの横幅が次第に大きくなるように延びる外縁部２３ａを両側に有している。
【００３９】
外縁部２３ａは、外縁部２３と同様に、刃先部２１ａの外側に向かうにつれて、刃２の厚みが次第に薄くなるよう鋭利に加工されている。このため、刃先部２１ｂが草木を切断し易くなっているため、除草作業を効率的に行うことができる。
【００４０】
また、刃先部２１ａには、先端部分２１１ａから刃２の基端側に向けて、横方向の隙間の間隔が次第に大きくなるように切り欠かれた切欠き部２５ａが設けられている。切欠き部２５ａの隙間は、先端部分２１１ａで最も狭くなっており、刃２ａの基端側の最も奥で最も広くなっている。
【００４１】
このような農具１ａにおいても、上記実施形態の農具１と同様に、余分な草木が外縁部２３ａに沿って側方に押し退けられるため、先端部分２１１ａに草木が詰まってしまうことを抑制できる。
【００４２】
また、刃２ａの先端側に刃先部２１ａが複数設けられているため、一度に複数の先端部分２１１ａにて草木を掛けることができる。したがって、効率的に除草作業を行うことができる。
【００４３】
＜３．  第３実施形態＞
図５は、第３実施形態に係る農具１ｂを示す斜視図である。農具１ｂは、略矩形で平板状の刃２ｂと、棒状の柄３ｂと、刃２ｂおよび柄３ｂを連結する連結部４ｂとを備えている。農具１ｂは、例えば作畦などのために土壌を掘り起こすのに適している。
【００４４】
刃２ｂは、図３に示す刃２ａと同様に、その先端側に複数の刃先部２１ｂを有している。刃先部２１ｂは、その先端部分２１１ｂから刃２の基端側に向けて、刃先部２１ｂの横幅が次第に大きくなるように延びる外縁部２３ｂを両側に有している。
【００４５】
外縁部２３ｂは、外縁部２３ａと同様に、刃先部２３ｂの外側に向かうにつれて、刃２ｂの厚みが次第に薄くなるよう鋭利に加工されている。このため、刃先部２１ｂが地面に進入し易くなっているとともに、草木を切断し易くなっている。
【００４６】
また、刃先部２１ｂには、刃先部２１ａと同様に、先端部分２１１ｂから刃２ｂの基端側に向けて、横方向の隙間の間隔が次第に大きくなるように切り欠かれた切欠き部２５ｂが設けられている。切欠き部２５ｂの隙間は、先端部分２１１ｂで最も狭くなっており、刃２ｂの基端側の最も奥で最も広くなっている。
【００４７】
このような農具１ｂであっても、上記実施形態の農具１，１ａと同様に、先端部分２１１ｂに草木が詰まることを抑制できるため、草木の除去作業を効率的に行うことができる。
【００４８】
＜４．  第４実施形態＞
図６は、第４実施形態に係る農具１ｃを示す正面図である。農具１ｃは、板状の刃２ｃと、棒状の柄３ｃと、刃２ｃおよび柄３ｃを連結する連結部４ｃとを備えている。作業者が農具１ｃを使用する際には、刃２ｃの先端側を手や足の力で地面に押し込み、さらに刃２ｃを所定方向へ返すことにより土を掘り起こす。
【００４９】
なお、連結部４ｃは、刃２ｃの基端側と柄３ｃの端部とを連結しており、これらの部材が略直線上に並ぶように固定している。ただし、連結部４ｃは、刃２ｃおよび柄３ｃの成す角度（より詳細には、柄３ｃの把持部と連結部４ｃとを結んだ仮想線と、刃２ｃの刃先と連結部４ｃとを結んだ仮想線とが成す角度）が９０°以上１８０°以下となるように、これらの部材を連結していればよい。
【００５０】
刃２ｃは、図３に示す刃２ａなどと同様に、先端側に複数（ここでは、２つ）の刃先部２１ｃを有している。刃先部２１ｃは、その先端部分２１１ｃから刃２ｃの基端側に向けて、刃先部２１ｃの横幅が次第に大きくなるように延びる外縁部２３ｃを両側に有している。
【００５１】
外縁部２３ｃは、外縁部２３ａなどと同様に、刃先部２１ｃの外側に向かうにつれて、刃２ｃの厚みが次第に薄くなるよう鋭利に加工されている。そのため、刃先部２１ｃが地面に進入し易くなっているとともに、草木を切断し易くなっている。
【００５２】
また、刃先部２１ｃには、刃先部２１ａなどと同様に、先端部分２１１ｃから刃２ｃの基端側に向けて、横方向の隙間の間隔が次第に大きくなるように切り欠かれた切欠き部２５ｃが設けられている。切欠き部２５ｃの隙間は、先端部分２１１ｃで最も狭くなっており、刃２ｃの基端側の最も奥で最も広くなっている。
【００５３】
このような農具１ｃにおいても、上記実施形態と同様に、先端部分２１１ｃに草木が詰まることを抑制できるため、草木の除去作業を効率的に行うことができる。
【００５４】
＜５．  変形例＞
以上、実施形態について説明してきたが、本発明は上記実施の形態に限定されるものではなく様々な変形が可能である。
【００５５】
例えば、上記実施形態では、平板状の刃を用いているが、刃の形状はこのようなものに限られるものではない。例えば、外縁部２３，２３ａ，２３ｂ，２３ｃを内側に曲げて、刃全体を湾曲させてもよい。また、刃先部分だけを湾曲させてもよい。
【００５６】
また、上記実施形態では、刃先部の横幅が連続的に大きくなっていくように外縁部を延在させているが、刃先部の横幅が段階的に変化するようにしてもよい。これと同様に、切欠き部の隙間の間隔が段階的に変化するようにしてもよい。
【００５７】
また、上記実施形態では、柄を直線的に延びる棒状のものとして説明しているが、柄が曲線状に延びる部分を含んでいてもよい。
【００５８】
また、上記実施形態では、農具の刃と柄とが別の部材で構成されているが、これらが一体的に形成されていてもよい。
【００５９】
また、上記実施形態や変形例で説明した各要素は、矛盾が生じない限りにおいて適宜に組み合わせることができる。
【符号の説明】
【００６０】
１，１ａ，１ｂ，１ｃ  農具
２，２ａ，２ｂ，２ｃ  刃
２１，２１ａ，２１ｂ，２１ｃ  刃先部
２１１，２１１ａ，２１１ｂ，２１１ｃ  先端部分
２３，２３ａ，２３ｂ，２３ｃ  外縁部
２５，２５ａ，２５ｂ，２５ｃ  切欠き部
３，３ａ，３ｂ，３ｃ  柄
４，４ａ，４ｂ，４ｃ  連結部
ｒ１，ｒ２  根
【図１】
2011010631.tif 000003
【図２】
2011010631.tif 000004
【図３】
2011010631.tif 000005
【図４】
2011010631.tif 000006
【図５】
2011010631.tif 000007
【図６】
2011010631.tif 000008
【手続補正書】
【提出日】平成21年10月19日(2009.10.19)
【手続補正１】
【補正対象書類名】明細書
【補正対象項目名】０００８
【補正方法】変更
【補正の内容】
【０００８】
上記の課題を解決するため、第１の態様は、板状の刃と、該刃の基端側に偏った位置に取り付けられる柄とを備える農具において、前記刃は、その先端側に刃先部を有し、前記刃先部は、その先端部分から前記刃の基端側に向けて、前記刃先部の横幅が次第に大きくなるように延びる外縁部を両側に有するとともに、該両側の外縁部に挟まれる位置に、前記先端部分から前記基端側に向かって、隙間の間隔が次第に大きくなるように切欠かれた切欠き部が設けられており、前記両側の外縁部自体が、前記刃先部の外側に向かうにつれて厚みが次第に薄くなるよう、鋭利に加工されている。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
また、第２の態様は、第１の態様に係る農具において、前記先端部分における前記切欠き部の隙間の間隔が２ｍｍ以上３ｍｍ以下である。
【手続補正４】
【補正対象書類名】明細書
【補正対象項目名】００１１
【補正方法】変更
【補正の内容】
【００１１】
また、第３の態様は、第１または第２の態様に係る農具において、前記刃の先端側に前記刃先部が複数設けられている。
【手続補正５】
【補正対象書類名】明細書
【補正対象項目名】００１２
【補正方法】変更
【補正の内容】
【００１２】
また、第４の態様は、基端側に偏った位置に柄が取付けられる農具用の板状の刃であって、前記刃は、その先端側に刃先部を有し、前記刃先部は、その先端部分から前記刃の基端側に向けて、前記刃先部の横幅が次第に大きくなるように延びる外縁部を両側に有するとともに、該両側の外縁部に挟まれる位置において、前記先端部分から前記基端側に向けて、隙間の間隔が次第に大きくなるように切欠かれた切欠き部が設けられており、前記両側の外縁部自体が、前記刃先部の外側に向かうにつれて厚みが次第に薄くなるよう、鋭利に加工されている。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
第１の態様に係る農具によれば、刃先部の外縁部が先端部分から次第に広がっていくため、余分な除去対象物を外縁部に沿って押し退けつつ、先端部分に除去対象物を進入させることができる。切欠き部に進入する除去対象物の量を適切に制限できるため、切欠き部の狭い部分に除去対象物が詰まることを抑制できる。
また、外縁部が鋭利に加工されているため、刃先部が地面に進入し易くなり、また、外縁部により草木などの除去対象物を切断し易くなる。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
また、第２の態様に係る農具によれば、先端部分の隙間の間隔を一般的な草木の根や茎の直径に合わせることで、先端部分で一本の草木を効果的に捉えることができる。
【手続補正１０】
【補正対象書類名】明細書
【補正対象項目名】００１７
【補正方法】変更
【補正の内容】
【００１７】
また、第３の態様に係る農具によれば、刃の先端側に複数の刃先部を有するため、除去対象物を一度に複数の先端部分で引っ掛けることができる。
【手続補正１１】
【補正対象書類名】明細書
【補正対象項目名】００１８
【補正方法】変更
【補正の内容】
【００１８】
また、第４の態様に係る刃によれば、刃先部の外縁部が先端部分から次第に広がっていくため、余分な除去対象物を外縁部に沿って押し退けつつ、先端部分に除去対象物を進入させることができる。切欠き部に進入する除去対象物の量を制限できるため、切欠き部の狭い部分に除去対象物が詰まることを抑制できる。
また、刃先部の外縁部が鋭利に加工されているため、刃先部が地面に進入し易くなり、また、外縁部で草木などの除去対象物を切断し易くなる。
【手続補正１２】
【補正対象書類名】明細書
【補正対象項目名】００１９
【補正方法】削除
【補正の内容】
【手続補正１３】
【補正対象書類名】特許請求の範囲
【補正対象項目名】全文
【補正方法】変更
【補正の内容】
【特許請求の範囲】
【請求項１】
板状の刃と、該刃の基端側に偏った位置に取り付けられる柄とを備える農具であって、
前記刃は、その先端側に刃先部を有し、
前記刃先部は、
その先端部分から前記刃の基端側に向けて、前記刃先部の横幅が次第に大きくなるように延びる外縁部を両側に有するとともに、該両側の外縁部に挟まれる位置に、前記先端部分から前記基端側に向かって、隙間の間隔が次第に大きくなるように切欠かれた切欠き部が設けられており、
前記両側の外縁部自体が、前記刃先部の外側に向かうにつれて厚みが次第に薄くなるよう、鋭利に加工されている農具。
【請求項２】
請求項１に記載の農具において、
前記先端部分における前記切欠き部の隙間の間隔が２ｍｍ以上３ｍｍ以下である農具。
【請求項３】
請求項１または２に記載の農具において、
前記刃の先端側に前記刃先部が複数設けられている農具。
【請求項４】
基端側に偏った位置に柄が取り付けられる農具用の板状の刃であって、
前記刃は、その先端側に刃先部を有し、
前記刃先部は、
その先端部分から前記刃の基端側に向けて、前記刃先部の横幅が次第に大きくなるように延びる外縁部を両側に有するとともに、該両側の外縁部に挟まれた位置に、前記先端部分から前記基端側に向けて、隙間の間隔が次第に大きくなるように切欠かれた切欠き部が設けられており、
前記両側の外縁部自体が、前記刃先部の外側に向かうにつれて厚みが次第に薄くなるよう、鋭利に加工されている刃。